(57)【要約】      （修正有）【課題】異なる体型の消費者のニーズに応える高さ調整可能式枕を提供する。【解決手段】高さ調整可能式枕に有する昇降平衡装置２の高位置微調整機構に関し、昇降平衡装置２のサポートフレーム２１、２２のローラー２１１、２２１内側縁に多数の異なる切断面を有する調整装置５を増設し、各切断面から中心点までの距離は異なり、調整装置５を回すことで、調整装置５とローラー２１１、２２１が接触する特定の切断面を変えられ、両側サポートフレーム２１、２２が上昇する最高の高さを制限と高位置の微調整ができる。【選択図】図２
2020089725.tif 000002
【特許請求の範囲】
【請求項１】
昇降平衡装置の高位置微調整機構であって、下蓋を有する
ことを特徴とする昇降平衡装置の高位置微調整機構。
前記下蓋上には、１個或いは１個以上の昇降平衡装置を設置し、前記昇降平衡装置は少なくとも、第一サポートフレーム、第二サポートフレームが、軸部に対応して交差し接続して構成され、前記第一サポートフレームの低い方の端には、第一ローラーを設置し、前記第一ローラーは、第一レールボックス内に設置し、前記第一レールボックスは、前記下蓋上に設置され、
前記第一レールボックス内側縁、特に前記第一ローラー移動時の内側縁には、調整装置が設置され、前記調整装置が提供可能な前記第一ローラーに対する持ち上げ距離を調節することで、前記両側サポートフレームが上がれる最高位置を制限することができる。
【請求項２】
前記第一サポートフレームの相対的に高い方の端には、第一軸部を設置し、前記第一軸部は、第一固定板と枢接され、
前記第二サポートフレームの低い方の端には、第二軸部を設置し、前記第二軸部は、前記下蓋上に枢接され、
前記第二サポートフレームの相対的に高い方の端には、第二ローラーを設置し、前記第二ローラーは、第二レールボックス内に組み付けられ、前記第二レールボックスは、前記下蓋上方の上蓋下内縁面位置に設置される
ことを特徴とする
請求項１に記載の昇降平衡装置の高位置微調整機構。
【請求項３】
前記第一レールボックス両端には、第一係止部材と第二係止部材をそれぞれ設置し、
前記第一レールボックス底面の、前記第二係止部材に隣接する位置には、開口が開設され、前記開口上には、前記調整装置を組み付け、
前記調整装置は、直立柱体で、頂点部には、上軸部を設置し、底部には、下旋回部を設置し、
前記調整装置側辺には、複数の切断面を順番に設置し、前記各切断面から調整装置の軸心位置までの距離はそれぞれ異なり、
前記下旋回部底面には、嵌合部を設置し、
前記第二係止部材の内縁面には、弧面を設置し、前記弧面上には、係止板を設置し、
前記調整装置側面には、位置限定槽を設置し、前記位置限定槽は、前記第二係止部材の前記弧面に対応して設置し、これにより前記位置限定槽は、限定された角度範囲において、前記係止板に相対してのみ回転可能となる
ことを特徴とする
請求項２に記載の昇降平衡装置の高位置微調整機構。
【発明の詳細な説明】
【技術分野】
【０００１】
本発明による昇降平衡装置の高位置微調整機構は高さ微調整位置限定機構に関し、特に昇降平衡装置に応用される高い位置での位置限定用技術領域に関する。
【背景技術】
【０００２】
人が仰向け寝する時と横向き寝する時では、求められる最良の枕の高さは異なる。
多くの人の睡眠障害の原因の一つに枕の高さが不適当なことが挙げられる。
特に異なる寝姿、即ち仰向け寝であるか、横向き寝であるかに対応して、即時に自動的に高さが調整できないと言う問題がある。
【０００３】
そのため、発明人は高さを調整できる枕構造をかつて設計したが、その調整は高い位置まで上昇すると固定され、使用者の体型の違いに適合させられないと言う欠点があった。
上記欠点を解決するため、本発明を提出し、本発明により、睡眠用枕の高さを調整できるようにし、特に微調整可能とし、この睡眠用枕の高さ調整機能により、体型がそれぞれ異なる消費者のニーズに確実に応えることを期待する。
【発明の概要】
【発明が解決しようとする課題】
【０００４】
前記先行技術には、高い位置まで上昇すると固定され、使用者の体型の違いに適合させられないと言う欠点がある。
【課題を解決するための手段】
【０００５】
本発明は従来の昇降式睡眠用枕の高さを最高まで上昇させた時に微調整できないと言う高さの制限に対して高位置微調整機構を提供し、睡眠用枕の昇降平衡装置に設置し、微調整機構を調整することで、睡眠用枕の最高の高さを微調整する機能を達成し、それぞれ異なる体型の消費者のニーズに応えることを主要な目的とする昇降平衡装置の高位置微調整機構に関する。
【０００６】
本発明による昇降平衡装置の高位置微調整機構は、通常のドライバーを利用し、調整装置を回すことで調整し、特に睡眠用枕は従来技術における昇降平衡装置では両側にそれぞれ設置されていたが、調整高が両側で異なることを避けるため、本発明では構造一致性の調整装置を利用し両側の調整高を同じにし、調整後の枕面の高さには偏りが生じず安定している。
【０００７】
本発明による高さ調整可能式枕は、下蓋、上蓋を有し、その間にはエアポンプ、複数のエア管、複数のバッグ体、２個の昇降平衡装置を配置し、該昇降平衡装置は少なくとも、第一サポートフレーム、第二サポートフレームが、軸部に対応して交差し接続して構成され、該第一サポートフレームの低い方の端には、第一ローラーを設置し、該第一ローラーは、第一レールボックス内に設置し、該第一レールボックスは、該下蓋上に設置され、該第一サポートフレームの相対的に高い方の端には、第一軸部を設置し、該第一軸部は、第一固定板と枢接され、該第二サポートフレームの低い方の端には、第二軸部を設置し、該第二軸部は、該下蓋上に枢接され、該第二サポートフレームの相対的に高い方の端には、第二ローラーを設置し、該第二ローラーは、第二レールボックス内に組み付けられ、該第二レールボックスは、上蓋下内縁面位置に設置され、該第一レールボックス内側縁、特に該第一ローラー移動時の内側縁には、調整装置が設置され、該調整装置が提供可能な持ち上げ距離を調節することで、該両側サポートフレームが上がれる最高位置を制限することができる。
【０００８】
好ましくは、該第一レールボックス両端には、第一係止部材と第二係止部材をそれぞれ設置する。
【０００９】
好ましくは、該第二係止部材の内縁面には、弧面を設置する。
【００１０】
好ましくは、該弧面上には、係止板を設置する。
【００１１】
好ましくは、該第一レールボックス底面の、該第二係止部材に隣接する位置には、開口が開設され、該開口上には、調整装置を組み付ける。
【００１２】
好ましくは、該調整装置は、該開口上で適当な角度の回転が可能である。
【００１３】
好ましくは、該調整装置は、概ね直立柱体を呈し、頂点部には、上軸部を設置し、底部には、下旋回部を設置し、該下旋回部底面には、嵌合部を設置し、該調整装置側辺には順番に、第一切断面、第二切断面、第三切断面を設置し、該各第一切断面、第二切断面と第三切断面から調整装置の軸心位置までの距離は、それぞれ異なり、該調整装置側面には、位置限定槽を設置し、該位置限定槽は、該第二係止部材の弧面に対応して接し、これにより該位置限定槽は、限定された角度範囲において、該係止板に相対してのみ回転可能となる。
【図面の簡単な説明】
【００１４】
【図１】高さ調整可能枕に本発明を応用する局部立体分解図である。
【図２】本発明の立体構造模式図である。
【図３】本発明の立体分解模式図である。
【図４】本発明を上面から見た断面構造模式図である。
【図５】本発明において調整を行う様子を示す上視断面模式図である。
【図６】本発明において調整を行う様子を示す側視模式図である。
【発明を実施するための形態】
【００１５】
（一実施形態）
図１、図２、図３、図４に示す通り、本発明による昇降平衡装置の高位置微調整機構において、高さ調整可能式枕１は、下蓋１１、上蓋１２を有し、その間にはエアポンプ１３、複数のエア管１４、複数のバッグ体１５、２個の昇降平衡装置２を配置する。
昇降平衡装置２は少なくとも、第一サポートフレーム２１、第二サポートフレーム２２が、軸部２３に対応して交差し接続して構成される。
第一サポートフレーム２１の低い方の端には、第一ローラー２１１を設置する。
第一ローラー２１１は、第一レールボックス１６内に設置する。
第一レールボックス１６は、下蓋１１上に設置される。
第一サポートフレーム２１の相対的に高い方の端には、第一軸部２１２を設置する。
第一軸部２１２は、第一固定板２１３と枢接される。
第二サポートフレーム２２の低い方の端には、第二軸部２２２を設置する。
第二軸部２２２は、下蓋１１上に枢接される。
第二サポートフレーム２２の相対的に高い方の端には、第二ローラー２２１を設置する。
第二ローラー２２１は、第二レールボックス２２３内に組み付けられる。
第二レールボックス２２３は、上蓋１２下内縁面位置に設置される。
本発明の特徴は以下の通りである。
第一レールボックス１６内側縁、特に第一ローラー２１１移動時の内側縁には、調整装置５を設置し、これにより、調整装置５が提供可能な持ち上げ距離を調節することで、両側サポートフレームが上がれる最高位置を制限することができる。
【００１６】
第一レールボックス１６両端には、第一係止部材１６２と第二係止部材１６３をそれぞれ設置する。
第二係止部材１６３内縁面には、弧面１６４を設置し、弧面１６４上には、係止板１６５を設置する。
第一レールボックス１６底面の、第二係止部材１６３に隣接する位置には、開口１６１を開設する。
開口１６１上には、調整装置５を組み付け、調整装置５は、開口１６１上で適当な角度の回転が可能である。
【００１７】
調整装置５は、概ね直立柱体を呈し、頂点部には、上軸部５１を設置し、底部には、下旋回部５２を設置し、下旋回部５２底面には、嵌合部５３を設置する。
調整装置５側辺には順番に、第一切断面５４、第二切断面５５と第三切断面５６を設置する。
各第一切断面５４、第二切断面５５と第三切断面５６から調整装置５の軸心位置までの距離は、それぞれ異なる。
調整装置５側面には、位置限定槽５７を設置し、位置限定槽５７は、第二係止部材１６３の弧面１６４に対応して接し、これにより位置限定槽５７は、限定された角度範囲において、係止板１６５に相対してのみ回転可能となる。
【００１８】
本発明実施時には、昇降平衡装置２が上昇すると、第一ローラー２１１は、第一係止部材１６２端から第二係止部材１６３端へと移動し、第一ローラー２１１が調整装置５に接触すると停止する（図４参照）。
調整装置５の微調整を行う時には、簡単に手に入る硬貨やドライバーを利用し、下旋回部５２底面の嵌合部５３を回すだけで、調整装置５を回すことができる。
さらに、各第一切断面５４、第二切断面５５或いは第三切断面５６の、第一ローラー２１１に対する位置を変える（図５参照）ことで、各第一切断面５４、第二切断面５５と第三切断面５６から調整装置５の軸心位置までの距離がそれぞれ異なるため、第一ローラー２１１に対する少なくとも３種の対応状態を調整することができる。
これにより、第一ローラー２１１移動の停止位置を変え、昇降平衡装置２の高い位置を微調整する目的を達成できる。
【００１９】
上述の実施形態において、切断面の数は例として３種であるが、実際には必要に応じて、任意に増減できる。
【００２０】
上述の実施形態において、調整装置を回す時には、下蓋底面の開口脇縁に定位点を設置し、調整状態を目視可能とすることもできる。
【００２１】
上記を総合すれば、本発明による昇降平衡装置の高位置微調整機構は、調整装置をレールボックス中に増設し、異なる切断面の回転を利用することで、上昇後の高い位置で微調整できる。
【００２２】
前述した本発明の実施形態は本発明を限定するものではなく、よって、本発明により保護される範囲は後述される特許請求の範囲を基準とする。
【符号の説明】
【００２３】
１  枕、
１１  下蓋、
１２  上蓋、
１３  エアポンプ、
１４  エア管、
１５  バッグ体、
１６  第一レールボックス、
１６１  開口、
１６２  第一係止部材、
１６３  第二係止部材、
１６４  弧面、
１６５  係止板、
２  昇降平衡装置、
２１  第一サポートフレーム、
２１１  第一ローラー、
２１２  第一軸部、
２１３  第一固定板、
２２  第二サポートフレーム、
２２１  第二ローラー、
２２２  第二軸部、
２２３  第二レールボックス、
２３  軸部、
５  調整装置、
５１  上軸部、
５２  下旋回部、
５３  嵌合部、
５４  第一切断面、
５５  第二切断面、
５６  第三切断面、
５７  位置限定槽。
【図１】
2020089725.tif 000003
【図２】
2020089725.tif 000004
【図３】
2020089725.tif 000005
【図４】
2020089725.tif 000006
【図５】
2020089725.tif 000007
【図６】
2020089725.tif 000008